(57)【要約】      （修正有）【課題】包帯の伸張性を改善した創傷ドレッシングアセンブリを提供する。【解決手段】創傷ドレッシングアセンブリ１０は、長手方向に延在している中央線ｌ、横方向に延在している中央線ｔ及び外縁を有している伸張可能な吸収性本体１であって、第１の表面及び第２の表面を有し、第２の表面は第１の表面の反対側にある、伸張可能な吸収性本体と、吸収性本体の第２の表面の少なくとも一部に接触している位置決め接着剤４と、支持層５の方向性の伸張が吸収性本体の第２の表面の対応する方向性の伸張を引き起こすよう、位置決め接着剤によって吸収性本体の第２の表面に接着している伸張可能な支持層と、吸収性本体ほど伸張可能ではない創傷接触層であって、吸収性本体の第２の表面が、支持層の対応する伸張時に延在するよう、吸収性本体の第１の表面上に配設されている創傷接触層とを含む。【選択図】図１
2019063519.tif 000002
【特許請求の範囲】
【請求項１】
ａ．長手方向に延在している中央線、横方向に延在している中央線及び外縁を有している伸張可能な吸収性本体であって、該吸収性本体は第１の表面及び第２の表面を有し、前記第２の表面は前記第１の表面の反対側にある、伸張可能な吸収性本体と、
ｂ．前記吸収性本体の前記第２の表面の少なくとも一部に接触している位置決め接着剤と、
ｃ．伸張可能な支持層であって、前記支持層の方向性の伸張が前記吸収性本体の前記第２の表面の対応する方向性の伸張を引き起こすよう、前記位置決め接着剤によって前記吸収性本体の前記第２の表面に接着している、伸張可能な支持層と、
ｄ．前記吸収性本体ほど伸張可能ではない創傷接触層であって、前記吸収性本体の前記第２の表面が、前記支持層の対応する伸張時に延在するよう、前記吸収性本体の前記第１の表面上に配設されている、創傷接触層と
を含む、創傷ドレッシングアセンブリ。
【請求項２】
前記吸収性本体が、単層物質又は多層物質の形態にある、請求項１に記載の創傷ドレッシングアセンブリ。
【請求項３】
前記吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、請求項１又は２に記載の創傷ドレッシングアセンブリ。
【請求項４】
前記吸収性本体が、電界紡糸により生成したウェブ；不織布；織布；フィルム；バッティング；スパンボンド；スパンレース；ハイドロエンタングルド；梳毛；ニードルパンチ；湿式又は他の任意の好適な物質を含む、請求項１から３のいずれか一項に記載の創傷ドレッシングアセンブリ。
【請求項５】
前記吸収性本体が発泡体物質を含む、請求項１から４のいずれか一項に記載の創傷ドレッシングアセンブリ。
【請求項６】
前記発泡体物質が、１つ又は複数のタイプのモノマーを含むポリマー、又はポリマーのブレンドを含む、請求項１から５のいずれか一項に記載の創傷ドレッシングアセンブリ。
【請求項７】
前記発泡体物質が連続気泡発泡体である、請求項１から６のいずれか一項に記載の創傷ドレッシングアセンブリ。
【請求項８】
前記発泡体物質が、ポリウレタン、カルボキシル化ブタジエン−スチレンゴム、ポリエステル、ポリアクリレート又はそれらの混合物から選択される連続気泡発泡体合成有機ポリマーである、請求項１から７のいずれか一項に記載の創傷ドレッシングアセンブリ。
【請求項９】
前記吸収性本体がヒドロコロイドを含む、請求項１から８のいずれか一項に記載の創傷ドレッシングアセンブリ。
【請求項１０】
前記ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、請求項１から９のいずれか一項に記載の創傷ドレッシングアセンブリ。
【請求項１１】
前記位置接着剤が吸収性本体の前記第２の表面に接触して、位置決め接着剤の連続若しくは不連続な層又は表面域を形成する、請求項１から１０のいずれか一項に記載の創傷ドレッシングアセンブリ。
【請求項１２】
前記支持層が外縁を有し、前記支持層の前記外縁が、前記吸収性本体の前記外縁の少なくとも一部を越えて延在するようになっている、請求項１から１１のいずれか一項に記載の創傷ドレッシングアセンブリ。
【請求項１３】
ａ．長手方向に延在している中央線、横方向に延在している中央線及び外縁を有している伸張可能な吸収性本体であって、該吸収性本体は第１の表面、第２の表面及びある弾性率を有し、前記第２の表面は、前記第１の表面の反対側にある、伸張可能な吸収性本体と、
ｂ．前記吸収性本体の前記第２の表面の少なくとも一部に接触している位置決め接着剤と、
ｃ．ある弾性率を有する支持層であって、前記位置決め接着剤によって前記吸収性本体の前記第２の表面に接着されている、支持層と
を含む、創傷ドレッシングアセンブリであって、
前記吸収性本体の前記弾性率が、前記支持層の前記弾性率以下である、
創傷ドレッシングアセンブリ。
【請求項１４】
前記支持層の前記弾性率が約１ＭＰａ〜約５０ＭＰａである、請求項１３に記載の創傷ドレッシングアセンブリ。
【請求項１５】
前記支持層の前記弾性率が約１．５ＭＰａ〜約６ＭＰａである、請求項１３又は１４に記載の創傷ドレッシングアセンブリ。
【請求項１６】
前記吸収性本体が、約５０ｇｓｍ〜約２００ｇｓｍの坪量を有する不織基材であり、約５００ｎｍ〜約３０００ｎｍのフィラメント直径を有するポリウレタンのフィラメントから形成されている、請求項１３から１５のいずれか一項に記載の創傷ドレッシングアセンブリ。
【請求項１７】
前記支持層が、ｉ）２５μｍ〜５０μｍの厚みのポリウレタンフィルム層；又はｉｉ）５０μｍ〜３００μｍの厚みの溶融ブローポリウレタン不織布から選択される、請求項１３から１６のいずれか一項に記載の創傷ドレッシングアセンブリ。
【請求項１８】
前記吸収性本体が、単層物質又は多層物質の形態にある、請求項１３から１７のいずれか一項に記載の創傷ドレッシングアセンブリ。
【請求項１９】
前記吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、請求項１３から１８のいずれか一項に記載の創傷ドレッシングアセンブリ。
【請求項２０】
前記吸収性本体が、電界紡糸により生成したウェブ；不織布；織布；フィルム；バッティング；スパンボンド；スパンレース；ハイドロエンタングルド；梳毛；ニードルパンチ；湿式又は他の任意の好適な物質を含む、請求項１３から１９のいずれか一項に記載の創傷ドレッシングアセンブリ。
【請求項２１】
前記吸収性本体が発泡体物質を含む、請求項１３から２０のいずれか一項に記載の創傷ドレッシングアセンブリ。
【請求項２２】
前記発泡体物質が、１つ又は複数のタイプのモノマーを含むポリマー、又はポリマーのブレンドを含む、請求項１３から２１のいずれか一項に記載の創傷ドレッシングアセンブリ。
【請求項２３】
前記発泡体物質が連続気泡発泡体である、請求項１３から２２のいずれか一項に記載の創傷ドレッシングアセンブリ。
【請求項２４】
前記発泡体物質が、ポリウレタン、カルボキシル化ブタジエン−スチレンゴム、ポリエステル、ポリアクリレート又はそれらの混合物から選択される連続気泡発泡体合成有機ポリマーである、請求項１３から２３のいずれか一項に記載の創傷ドレッシングアセンブリ。
【請求項２５】
前記吸収性本体がヒドロコロイドを含む、請求項１３から２４のいずれか一項に記載の創傷ドレッシングアセンブリ。
【請求項２６】
前記ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、請求項１３から２５のいずれか一項に記載の創傷ドレッシングアセンブリ。
【請求項２７】
前記位置接着剤が吸収性本体の前記第２の表面に接触して、位置決め接着剤の連続若しくは不連続な層又は表面域を形成する、請求項１３から２６のいずれか一項に記載の創傷ドレッシングアセンブリ。
【請求項２８】
前記支持層が外縁を有し、前記支持層の前記外縁が、前記吸収性本体の前記外縁の少なくとも一部を越えて延在するようになっている、請求項１３から２７のいずれか一項に記載の創傷ドレッシングアセンブリ。
【請求項２９】
ａ．長手方向に延在している中央線、横方向に延在している中央線及び外縁を有している吸収性本体であって、該吸収性本体は第１の表面及び第２の表面を有し、前記第２の表面は前記第１の表面の反対側にあり、前記第２の表面は、
ｂ．前記吸収性本体の前記第２の表面の前記中央に、位置決め接着剤の領域を形成するよう、前記吸収性本体の前記第２の表面に接触する接触剤であって、位置決め接着剤の前記領域が外縁を有する、接着剤
を有する、吸収性本体と、
ｃ．位置決め接着剤の前記領域により、前記吸収性本体の前記第２の表面に接着している支持層であって、外部ゾーンによって少なくとも一部が取り囲まれた内側ゾーンを有する、支持層と、
を含む創傷ドレッシングアセンブリであって、
位置決め接着剤の前記領域の前記外縁が、前記支持層の表面域の内側境界を画定し、前記支持層のこのような表面域が、位置決め接着剤の前記領域の前記外縁から、位置決め接着剤の前記領域の前記外縁から離れる方向に、前記吸収性本体１の前記外縁の少なくとも一部を越えて、前記支持層の前記外部ゾーンにまで延在しており、このような表面域は、接着剤を含まないか又は実質的に含まない、
創傷ドレッシングアセンブリ。
【請求項３０】
位置決め接着剤の前記領域が連続的である、請求項２９に記載の創傷ドレッシングアセンブリ。
【請求項３１】
位置決め接着剤の前記領域が不連続的である、請求項２９又は３０に記載の創傷ドレッシングアセンブリ。
【請求項３２】
前記吸収性本体が、単層物質又は多層物質の形態にある、請求項２９から３１のいずれか一項に記載の創傷ドレッシングアセンブリ。
【請求項３３】
前記吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、請求項２９から３２のいずれか一項に記載の創傷ドレッシングアセンブリ。
【請求項３４】
前記吸収性本体が、電界紡糸により生成されたウェブ；不織布；織布；フィルム；バッティング；スパンボンド；スパンレース；ハイドロエンタングルド；梳毛；ニードルパンチ；湿式又は他の任意の好適な物質を含む、請求項２９から３３のいずれか一項に記載の創傷ドレッシングアセンブリ。
【請求項３５】
前記吸収性本体が発泡体物質を含む、請求項２９から３４のいずれか一項に記載の創傷ドレッシングアセンブリ。
【請求項３６】
前記発泡体物質が、１つ又は複数のタイプのモノマーを含むポリマー、又はポリマーのブレンドを含む、請求項２９から３５のいずれか一項に記載の創傷ドレッシングアセンブリ。
【請求項３７】
前記発泡体物質が連続気泡発泡体である、請求項２９から３６のいずれか一項に記載の創傷ドレッシングアセンブリ。
【請求項３８】
前記発泡体物質が、ポリウレタン、カルボキシル化ブタジエン−スチレンゴム、ポリエステル、ポリアクリレート又はそれらの混合物から選択される連続気泡発泡体合成有機ポリマーである、請求項２９から３７のいずれか一項に記載の創傷ドレッシングアセンブリ。
【請求項３９】
前記吸収性本体がヒドロコロイドを含む、請求項２９から３８のいずれか一項に記載の創傷ドレッシングアセンブリ。
【請求項４０】
前記ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、請求項２９から３９のいずれか一項に記載の創傷ドレッシングアセンブリ。
【請求項４１】
前記位置接着剤が吸収性本体の前記第２の表面に接触して、位置決め接着剤の連続若しくは不連続な層又は表面域を形成する、請求項２９から４０のいずれか一項に記載の創傷ドレッシングアセンブリ。
【請求項４２】
前記支持層が外縁を有し、前記支持層の前記外縁が、前記吸収性本体の前記外縁の少なくとも一部を越えて延在するようになっている、請求項２９から４１のいずれか一項に記載の創傷ドレッシングアセンブリ。
【請求項４３】
ａ．長手方向に延在している中央線、横方向に延在している中央線及び外縁を有している吸収性本体であって、該吸収性本体は第１の表面及び第２の表面を有し、前記第２の表面は前記第１の表面の反対側にあり、前記第２の表面は、
ｂ．前記横方向に延在する中央線に実質的に沿って延在する位置決め接着剤の領域を形成するよう、前記吸収性本体の前記第２の表面に接触している接着剤
を含む、吸収性本体と、
ｃ．位置決め接着剤の前記領域により、前記吸収性本体の前記第２の表面に接着している支持層であって、外部ゾーンによって少なくとも一部が取り囲まれた内側ゾーンを有する、支持層と、
を含む、創傷ドレッシングアセンブリであって、
位置決め接着剤の前記領域が、第１の側面、及び前記第１の側面の反対側の第２の側面を有し、その結果、位置決め接着剤の前記領域が前記支持層に接触すると、
ｉ．前記第１の側面は、前記第１の側面から、前記吸収性本体の前記外縁を越えて、前記長手方向に延在する中央線の方向に、前記支持層の前記外部ゾーンまで延在する前記支持層の第１の表面域の端部を画定し、
ｉｉ．前記第２の側面は、前記第２の側面から、前記吸収性本体の前記外縁を越えて、前記長手方向に延在する中央線の方向で前記第１の表面域の方向の反対の方向に、前記支持層の前記外部ゾーンまで延在する前記支持層の第２の表面域の端部を画定し、前記第１及び第２の表面域が接着剤を実質的に含まない、
創傷ドレッシングアセンブリ。
【請求項４４】
前記位置決め接着剤の領域が連続的である、請求項４３に記載の創傷ドレッシングアセンブリ。
【請求項４５】
位置決め接着剤の前記領域が不連続的である、請求項４３又は４４に記載の創傷ドレッシングアセンブリ。
【請求項４６】
前記吸収性本体が、単層物質又は多層物質の形態にある、請求項４３から４５のいずれか一項に記載の創傷ドレッシングアセンブリ。
【請求項４７】
前記吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、請求項４３から４６のいずれか一項に記載の創傷ドレッシングアセンブリ。
【請求項４８】
前記吸収性本体が、電界紡糸により生成されたウェブ；不織布；織布；フィルム；バッティング；スパンボンド；スパンレース；ハイドロエンタングルド；梳毛；ニードルパンチ；湿式又は他の任意の好適な物質を含む、請求項４３から４７のいずれか一項に記載の創傷ドレッシングアセンブリ。
【請求項４９】
前記吸収性本体が発泡体物質を含む、請求項４３から４８のいずれか一項に記載の創傷ドレッシングアセンブリ。
【請求項５０】
前記発泡体物質が、１つ又は複数のタイプのモノマーを含むポリマー、又はポリマーのブレンドを含む、請求項４３から４９のいずれか一項に記載の創傷ドレッシングアセンブリ。
【請求項５１】
前記発泡体物質が連続気泡発泡体である、請求項４３から５０のいずれか一項に記載の創傷ドレッシングアセンブリ。
【請求項５２】
前記発泡体物質が、ポリウレタン、カルボキシル化ブタジエン−スチレンゴム、ポリエステル、ポリアクリレート又はそれらの混合物から選択される連続気泡発泡体合成有機ポリマーである、請求項４３から５１のいずれか一項に記載の創傷ドレッシングアセンブリ。
【請求項５３】
前記吸収性本体がヒドロコロイドを含む、請求項４３から５２のいずれか一項に記載の創傷ドレッシングアセンブリ。
【請求項５４】
前記ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、請求項４３から５３のいずれか一項に記載の創傷ドレッシングアセンブリ。
【請求項５５】
前記位置接着剤が吸収性本体の前記第２の表面に接触して、位置決め接着剤の連続若しくは不連続な層又は表面域を形成する、請求項４３から５４のいずれか一項に記載の創傷ドレッシングアセンブリ。
【請求項５６】
前記支持層が外縁を有し、前記支持層の前記外縁が、前記吸収性本体の前記外縁の少なくとも一部を越えて延在するようになっている、請求項４３から５５のいずれか一項に記載の創傷ドレッシングアセンブリ。
【発明の詳細な説明】
【技術分野】
【０００１】
本発明は、包帯の伸張性の改善などのドレッシングに関する。本発明は、吸収性本体及び伸張性の改善された支持層を含むドレッシングに更に関する。
【背景技術】
【０００２】
皮膚に施用及び／又は皮膚を覆うための包帯などのドレッシングは、しばらく前から公知であった。このようなドレッシングは、小さな創傷を密閉し、小さな創傷を保護し、かつ／又は擦過傷を覆うよう、幅広く受け入れられている。一部の場合、微孔性又は通気性の包帯が開発されて、どちらか一方が、小さな創傷（一部が治癒している創傷を含む）を覆うために使用されてきた。
【発明の概要】
【発明が解決しようとする課題】
【０００３】
このようなドレッシングは、例えば、微孔性物質を取り込んで、創傷に通気をもたらすことを可能にする、及び水蒸気が創傷から逃げ、こうして、創傷が浸軟する機会を低減することを可能にするという点で、何年にもわたり大きく改善されてきたが、伸張性を改善するドレッシングが依然として必要とされている。したがって、このような伸張性の改善をもたらし、吸収性本体、及び位置決め接着剤の目立たない領域によって吸収性本体に取り付けられた支持層を含む本発明の創傷ドレッシングアセンブリであって、かつ／又は吸収性本体が支持層の弾性率以下の弾性率を有する、本発明の創傷ドレッシングアセンブリ。特定の実施形態では、創傷ドレッシングアセンブリは、創傷接触層を更に含む。
【０００４】
したがって、本発明の態様は、創傷を被覆する、創傷を保護する、及び創傷治癒を促進するために使用され得る、創傷ドレッシングアセンブリを提供することである。本発明の態様はまた、吸収性本体、及び伸張性の改善された支持層を含む創傷ドレッシングアセンブリを提供することである。本発明のさらなる態様は、吸収性本体、及び位置決め接着剤の目立たない方向性の領域によって吸収性本体に取り付けられた支持層を含む、創傷ドレッシングアセンブリを提供することである。本発明のさらなる態様は、吸収性本体及び支持層を含む創傷ドレッシングアセンブリであって、吸収性本体が支持層の弾性率以下の弾性率を有する、創傷ドレッシングアセンブリを提供することである。本発明の他の態様は、以下の説明及び特許請求の範囲から容易に明白になろう。
【課題を解決するための手段】
【０００５】
一実施形態では、本発明は、
ａ．長手方向に延在している中央線、横方向に延在している中央線及び外縁を有している伸張可能な吸収性本体であって、吸収性本体は第１の表面及び第２の表面を有し、第２の表面は第１の表面の反対側にある、伸張可能な吸収性本体と、
ｂ．吸収性本体の第２の表面の少なくとも一部に接触している位置決め接着剤と、
ｃ．伸張可能な支持層であって、当該支持層の方向性の伸張が吸収性本体の第２の表面の対応する方向性の伸張を引き起こすよう、位置決め接着剤によって吸収性本体の第２の表面に接着している、伸張可能な支持層と、
ｄ．吸収性本体ほど伸張可能ではない創傷接触層であって、吸収性本体の第２の表面が、支持層の対応する伸張時に延在するよう、吸収性本体の第１の表面上に配設されている、創傷接触層と
を含む、創傷ドレッシングアセンブリに関する。
【０００６】
別の実施形態では、本発明は、
ａ．長手方向に延在している中央線、横方向に延在している中央線及び外縁を有している伸張可能な吸収性本体であって、吸収性本体は第１の表面、第２の表面及びある弾性率を有し、第２の表面は、第１の表面の反対側にある、伸張可能な吸収性本体と、
ｂ．吸収性本体の第２の表面の少なくとも一部に接触している位置決め接着剤と、
ｃ．ある弾性率を有する支持層であって、位置決め接着剤によって吸収性本体の第２の表面に接着されている、支持層と
を含む創傷ドレッシングアセンブリであって、
吸収性本体の弾性率が、支持層の弾性率以下である、
創傷ドレッシングアセンブリに関する。
【０００７】
さらなる実施形態では、本発明は、
ａ．長手方向に延在している中央線、横方向に延在している中央線及び外縁を有している吸収性本体であって、吸収性本体は第１の表面及び第２の表面を有し、第２の表面は、第１の表面の反対側にあり、第２の表面は、
ｂ．吸収性本体の第２の表面の中央に、位置決め接着剤の領域を形成するよう、吸収性本体の第２の表面に接触する接触剤であって、位置決め接着剤の領域が外縁を有する、接着剤
を有する、吸収性本体と、
ｃ．位置決め接着剤の領域により、吸収性本体の第２の表面に接着している支持層であって、外部ゾーンによって少なくとも一部が取り囲まれた内側ゾーンを有する、支持層と、
を含む創傷ドレッシングアセンブリであって、
位置決め接着剤の領域の外縁が、支持層の表面域の内側境界を画定し、支持層のこのような表面域が、位置決め接着剤の領域の外縁から、位置決め接着剤の領域の外縁から離れる方向に、吸収性本体１の外縁の少なくとも一部を越えて、支持層の外部ゾーンにまで延在しており、このような表面域は、接着剤を含まないか又は実質的に含まない、
創傷ドレッシングアセンブリに関する。
【０００８】
さらなる実施形態では、本発明は、
ａ．長手方向に延在している中央線、横方向に延在している中央線及び外縁を有している吸収性本体であって、吸収性本体は第１の表面及び第２の表面を有し、第２の表面は、第１の表面の反対側にあり、第２の表面は、
ｂ．横方向に延在する中央線に実質的に沿って延在する位置決め接着剤の領域を形成するよう、吸収性本体の第２の表面に接触している接着剤
を含む、吸収性本体と、
ｃ．位置決め接着剤の領域により、吸収性本体の第２の表面に接着している支持層であって、外部ゾーンによって少なくとも一部が取り囲まれた内側ゾーンを有する、支持層と、
を含む、創傷ドレッシングアセンブリであって、
位置決め接着剤の領域が、第１の側面、及び第１の側面の反対側の第２の側面を有し、その結果、位置決め接着剤の領域が支持層に接触すると、
ｉ．第１の側面は、第１の側面から、吸収性本体の外縁を越えて、長手方向に延在する中央線の方向に、支持層の外部ゾーンまで延在する支持層の第１の表面域の端部を画定し、
ｉｉ．第２の側面は、第２の側面から、吸収性本体の外縁を越えて、長手方向に延在する中央線の方向で第１の表面域の方向の反対の方向に、支持層の外部ゾーンまで延在する支持層の第２の表面域の端部を画定し、第１及び第２の表面域が接着剤を実質的に含まない、
創傷ドレッシングアセンブリに関する。
【図面の簡単な説明】
【０００９】
以下に、本発明の実施形態をあくまで例示の目的で添付図面を参照しながら更に詳細に説明する。
【図１】創傷ドレッシングアセンブリ１０の実施形態の斜視図である。
【図２】図１に示されている、創傷ドレッシングアセンブリ１０の実施形態の上部平面図である。
【図３】図１に示されている、創傷ドレッシングアセンブリ１０の実施形態の側面図である。
【図４】吸収性本体１によって位置決め接着剤領域Ｃの位置を示している、本発明の創傷ドレッシングアセンブリ１０の別の実施形態の上部平面図である。
【図５】吸収性本体１の第２の表面３及び支持層５と接触している位置決め接着剤領域Ｃを示す、図４に示されている創傷ドレッシングアセンブリ１０の実施形態の側面図である。
【図６】吸収性本体１による、第２の表面３上の中央に集められた個別の領域における、位置決め接着剤領域Ｃを示している、本発明の創傷ドレッシングアセンブリ１０の別の実施形態の上部平面図である。
【図７】皮膚１２に施用される、図１〜３に示されている創傷ドレッシングアセンブリ１０であって、支持層５が伸張する前の、創傷接触層６、吸収性本体１、位置決め接着剤４及び支持層５を示す、創傷ドレッシングアセンブリ１０の実施形態の側面図である。
【図８】皮膚１２に施用される、図１〜３に示されている創傷ドレッシングアセンブリ１０であって、支持層５が伸張した後の、創傷接触層６、吸収性本体１、位置決め接着剤４及び支持層５を示す、創傷ドレッシングアセンブリ１０の実施形態の側面図である。
【図８Ａ】それほど伸張可能ではない創傷接触層６に接着しているために、吸収性本体１の第１の表面２の動きが制限されているにも関わらず、支持層５の伸張時に、吸収性本体１の第２の表面３が伸張していることを示す、図８中の円で取り囲んだ図８Ａを拡大した図である。
【図９】皮膚１２に施用される、図４〜５に示されている創傷ドレッシングアセンブリ１０であって、支持層５が伸張する前の、吸収性本体１、位置決め接着剤領域Ｃ及び支持層５を示す、創傷ドレッシングアセンブリ１０の実施形態の側面図である。
【図１０】皮膚１２に施用される、図４〜５に示されている創傷ドレッシングアセンブリ１０であって、支持層５が伸張した後の、吸収性本体１、位置決め接着剤領域Ｃ及び支持層５を示す、創傷ドレッシングアセンブリ１０の実施形態の側面図である。
【図１０Ａ】支持層５のいずれの伸張も、吸収性本体１と位置決め接着剤領域Ｃとの間の接触が低下するために、吸収性本体１に最小限の影響しか及ぼさないことを示す、図１０中の円で取り囲んだ図１０Ａの拡大図である。
【図１１】吸収性本体１、位置決め接着剤４及び支持層５、並びに任意選択の創傷接触層６及び剥離ライナー７を示す、本発明の創傷ドレッシングアセンブリ１０の実施形態の立体分解図である。
【発明を実施するための形態】
【００１０】
本発明のドレッシングは、本明細書に記載される本発明の必須要素及び制限事項、並びに本明細書に記載される追加若しくは任意の特徴、構成要素、又は制限事項のいずれかを含むか、これらからなるか、又はこれらから本質的になり得る。
【００１１】
本明細書で使用するとき、用語「備える（comprising）」（及びその文法的変形）は、「有する（having）」又は「含む（including）」を包含する意味で（かつこれらの用語と互換的に）用いられ、「のみからなる（consisting only of）」の排他的な意味では用いられない。本明細書で使用する場合、用語「ａ」及び「ｔｈｅ」は、単数に加えて複数も包含すると理解される。
【００１２】
本明細書で使用する場合、用語「皮膚」及び「組織」は、互換的であり、哺乳動物の皮膚を指す。
【００１３】
参照により一部又はその全体が本明細書に組み込まれている文書はすべて、これらが本明細書に矛盾しない範囲においてのみ本明細書に組み込まれる。
【００１４】
特定の実施形態では、本明細書で開示される本発明は、本明細書に具体的に開示されていないいかなる成分、要素（又は、成分若しくは要素の群）、又は方法工程が存在しなくても実施することができる。
【００１５】
ドレッシングアセンブリ
吸収性本体
特定の実施形態では、本発明のドレッシングアセンブリ１０は、ある弾性率（以下に示されているとおりに算出される）を有する吸収性本体１を含む。図１及び３に示されているとおり、吸収性本体１は、長手方向に延在している中央線ｌ及び横方向に延在している中央線ｔを有しており、第１の縦エッジ部１４、第２の縦エッジ部１５、第１の横エッジ部１６及び第２の横エッジ部１７を有し、それぞれは、全体で又は個別に外縁ｐを画定する。吸収性本体１はまた、創傷に面する表面となる第１の表面２、及び第２の表面３（この第２の表面３は、第１の表面２の反対側に位置している）を有する。
【００１６】
特定の実施形態では、吸収性本体１は、着用者の皮膚に適合する、非刺激性であり、かつ液体を吸収及び保持することが可能な任意の物質を含む。吸収性本体１は、単層物質若しくは多層物質であるか、又は単層物質若しくは多層物質の形態にあってもよく、吸収性本体１が多層物質である場合、各層は同一物質であってもよく、又は異なる物質であってもよい。
【００１７】
吸収性本体１に好適と思われる物質の例には、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又は他の任意の公知の吸収性物質、又はこのような任意の物質の組合せが挙げられるか、上記の物質の例は、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又は他の任意の公知の吸収性物質、又はこのような任意の物質の組合せを含む。特定の実施形態では、吸収性本体１は、電界紡糸により生成したウェブ；不織布（すなわち、繊維状及び非繊維状不織布を含めた天然又は合成の不織布）；織布；フィルム（例えば、形成済みフィルム）；バッティング；スパンボンド；スパンレース；ハイドロエンタングルド；梳毛；ニードルパンチ；湿式又は他の任意の好適な物質により生成されたウェブとすることができる。吸収性本体１の形成において有用な物質の一層詳細な説明は、その特許文書の各々の全体が参照により本明細書に組み込まれている、米国特許第９４４５９５１（Ｂ２）号及び米国特許公開第２０１４０３０８８６７（Ａ１）号において見出すことができる。吸収性本体１は、例えば、接着剤、ワックス、オイル、抗菌剤、活性軟膏剤などの、非液体吸収性物質を少量（通常、１０％未満）、更に含んでもよい。
【００１８】
一実施形態では、本吸収性本体１は、発泡体物質、場合により連続気泡発泡体であるか、又はこれを含む。この発泡体は、創傷の浸出物を吸収する、適合性連続気泡発泡体を形成するようになされている合成ポリマーを含むことができる。発泡体の好適な物質の例としては、以下に限定されないが、以下を含む（又は以下から選択される）合成有機ポリマーを含む。発泡ポリマーは、１つ又は複数のタイプのモノマーを含むポリマー（例えば、コポリマー）、又はポリマーの混合物（例えば、ブレンド）から作製することができるか、又はこれらを含むことができる。発泡体物質の例は、「Ｆｌｅｘｉｂｌｅ  Ｐｏｌｙｕｒｅｔｈａｎｅ  Ｆｏａｍｓ」、Ｄｏｗ  Ｐｏｌｙｕｒｅｔｈａｎｅｓ、Ｒ．Ｈｅｒｒｉｎｇｔｏｎ  ａｎｄ  Ｋ．Ｈｏｃｋ（編）、１９９７年という表題の書籍に記載されている。
【００１９】
発泡体は、約０．５ｍｍ又は１ｍｍ〜約３ｍｍ又は１０ｍｍの厚さという幅広い範囲の厚みとすることができる。更に、発泡体は、所望の特性を有するように調整された１つ又は複数の層を含むことができる。これらの層は、互いに直接接合され得るか、又は接着剤層と一緒に接合され得る。場合により、これらの層の間には、発泡体の物理的一体性を強化するための、ポリマーネット若しくは不織布、織布、又はニットウェブのうちの１つ又は複数が配設され得る。
【００２０】
別の実施形態では、本吸収性本体１は、多孔性の小袋内に入れられた、超吸収性粒子又は繊維を含む。例としては、Ｎａｔｉｏｎａｌ  Ｎｏｎｗｏｖｅｎｓ（Ｃｉｎｃｉｎｎａｔｉ、Ｏｈｉｏ）から入手可能な超吸収性繊維状ウェブ、又はＳｏｒｂｉｏｎ  ＡＧ（Ｓｅｎｄｅｎ、ドイツ）から入手可能なＳｏｒｂｉｏｎ  Ｓａｃｈｅｔ  Ｓなどの超吸収性物質を含有するサシェが挙げられる。超吸収性粒子は、住友精化株式会社（大阪、日本）から入手可能なＡＱＵＡ  ＫＥＥＰ超吸収性粉末、及びＢＡＳＦ  Ｃｏｒｐｏｒａｔｉｏｎ（Ｐｏｒｔｓｍｏｕｔｈ、Ｖａ．）から入手可能なＨｙＳｏｒｂ（登録商標）超吸収性粉末として、やはり入手可能である。
【００２１】
好適な吸収性本体１の一例は、Ｄｅｌｓｔａｒ（Ｄｅｌ．）のＰＥＴ不織布パッドに見出される。他の例としては、Ｄｅｌｓｔａｒのポリオレフィン不織布、並びにレーヨンとポリエステルとの、又はレーヨンとポリオレフィンとのブレンドが挙げられる。吸収性本体に好適な構成は、これらの特許の開示が参照により本明細書に組み込まれている、米国特許第６，８３８，５８９号、同第７，０３０，２８８号及び同第７，６１２，２４８号に開示されている。
【００２２】
他の実施形態では、吸収性本体１は、ヒドロコロイドを含む。
【００２３】
使用されるヒドロコロイド成分は、特に例えば、カルボキシメチルセルロースナトリウム、ペクチン、キサンタンガム、多糖類、アルギン酸ナトリウム若しくはカルシウム、キトサン、海草抽出物（カラギーナン）、ポリアスパラギン酸、ポリグルタミン酸、ヒアルロン酸、又はそれらの塩及び誘導体などの、この用途において良好な性能を有するいずれの物質であってもよい。
【００２４】
とりわけ、カルボキシメチルセルロースナトリウム及びペクチンなどの親水コロイドは、創傷からの体液と接触するとすぐに、ゲルを形成する物質である。接着包帯において使用される場合、これらのヒドロコロイドは、エラストマー及び／又は接着剤と組み合わせることができる。特定の実施形態では、このようなヒドロコロイドを含む吸収性本体１は、湿潤環境をもたらすはずであり（しかし、飽和することはない）、この環境は、治癒を促進するのに好適な状況である。
【００２５】
位置決め接着剤
吸収性本体１の第２の表面３は、位置決め接着剤４によって、支持層５に固定されている。
【００２６】
位置決め接着剤４は、通常、感圧性位置決め接着剤であり、一部の実施形態では、皮膚に施用するために使用される感圧性接着剤とすることができる（すなわち、皮膚への悪影響が最小限であるか全くなく、かつ不快感が最小限であるか全くなしに皮膚から容易にはがせる）。したがって、特定の実施形態では、位置決め接着剤４は、皮膚接触接着剤８と同一とすることができる（有用な皮膚接触接着剤の具体例を含めて、以下に記載されている）。他の有用な位置決め接着剤は、それらの特許の各々が参照により組み込まれている、米国特許第ＲＥ２４，９０６号；米国特許第４，７３７，４１０号（実施例３１）及び米国特許第３，３８９，８２７号、同第４，１１２，２１３号、同第４，３１０，５０９号及び同第４，３２３，５５７号に記載されている。
【００２７】
特定の実施形態では、位置決め接着剤４は、位置決め接着剤４の連続若しくは不連続な層又は表面域を形成するよう、吸収性本体１の第２の表面３上に配設されているか、又はこれと接触している。
【００２８】
一実施形態では、図６に示されているとおり、位置決め接着剤４は、吸収性本体１の第２の表面３の中央又はその近傍に、位置決め接着剤４の領域Ｃを形成するよう、吸収性本体１の第２の表面３上に配設されているか、又はこれと接触しており（すなわち、長手方向に延在している中央線ｌ及び横方向に延在している中央線ｔが交わる場所）、位置決め接着剤４の領域Ｃは外縁ｃを有する。
【００２９】
別の実施形態では、図４〜５に示されているとおり、位置決め接着剤４は、位置決め接着剤４の領域Ｃを形成するよう、長手方向に延在している中央線ｌ及び横方向に延在している中央線ｔが交差する、吸収性本体１の第２の表面３の中央において、吸収性本体１の第２の表面３上に配設されているか、又はこれに接触し、領域Ｃは、横方向に延在している中央線ｔに実質的に沿って一方向に更に延在することができ、位置決め接着剤４の領域Ｃは、第１の側面Ｃ’、及び第１の側面Ｃ’の反対側に第２の側面Ｃ”を形成する。
【００３０】
横方向に延在している中央線ｔに対して、位置決め接着剤領域Ｃに関して、「実質的に沿って」という言い回しは、所与の中央線の一般方向に、位置決め接着剤領域が延在するかぎり、位置決め接着剤領域が、横方向に延在している中央線ｔと一列に並んでいること、対角であること又は交差していること（正弦交差パターンの場合のように）を含めた、任意の方向性パターン又は形状とすることができることを意味する。更に、第１の側面Ｃ’及び第２の側面Ｃ”は、任意の線形パターンを有することができ、同一又は異なるこのようなパターンを有することができる。
【００３１】
支持層
ドレッシングアセンブリ１０は、前表面５’及び裏側表面５”（裏側表面５”は、前表面５’の反対側に配置されている）を有する支持層５を更に含み、支持層５は、外部ゾーン１３、内側ゾーン１１及び外縁Ｐを有し、内側ゾーン１１は、外部ゾーン１３によって一部（図４にあるとおり）が取り囲まれているか、又は完全（図６にあるとおり）に取り囲まれているかのどちらかである。支持層５の前表面５’は、位置決め接着剤４（又は位置決め接着剤４の領域Ｃ）によって、吸収性本体１の第２の表面３に接着されており、特定の実施形態では、その結果、吸収性本体１が内側ゾーン１１の内部に置かれている。特定の実施形態では、支持層５の方向性の伸張が吸収性本体１の第２の表面３の対応する方向性の伸張を引き起こすよう、支持層５の前表面５’は、位置決め接着剤４によって、吸収性本体１の第２の表面３に接着されている。支持層５は、単一又は多層（又は支持層）を含むことができる。
【００３２】
特定の実施形態では、支持層５の外縁Ｐの縁は、吸収性本体１の外縁ｐの少なくとも一部の縁を越えて延在し、その結果、支持層５が少なくとも部分的に被覆して、かつ使用者の皮膚に接着する吸収性層１を越えて少なくとも一部延在する。特定の実施形態では、支持層５の全外縁Ｐの縁は、吸収性本体１の外縁ｐの縁全体を越えて延在し、その結果、支持層５は全体を被覆して、かつ使用者の皮膚に接着する吸収性本体１を越えて全体に延在する。
【００３３】
特定の実施形態では、位置決め接着剤４は、支持層５の前表面５’に接触して、支持層５の前表面５’を吸収性本体１の第２の表面３に接着させる。
【００３４】
特定の実施形態では、図６に示されているとおり、位置決め接着剤４の領域Ｃは、ｉ）その中央（すなわち、長手方向に延在している中央線ｌ及び横方向に延在している中央線ｔが交差するところ）又はその近傍において、吸収性本体１の第２の表面３と、ｉｉ）支持層５の前表面５’が、吸収性本体１の第２の表面３に接着して、支持層５の表面域の内側境界を画定する外縁ｃを形成するような支持層５の前表面５’との両方に接触し、支持層５のこのような表面域は、外縁ｃから外縁ｃを離れる方向に、吸収性本体１の外縁ｐの少なくとも一部を越えて、支持層５の外部ゾーン１３まで延在している。支持層５のこのような表面域は、接着剤を含まないか、又は実質的に含まない。
【００３５】
一実施形態では、図４〜５に示されているとおり、上記の位置決め接着剤４の領域Ｃは、横方向に延在している中央線ｔに実質的に沿って一方向に更に延在しており、領域Ｃは、
ｉ）第１の側面Ｃ’が、第１の側面Ｃ’から、吸収性本体の外縁ｐの少なくとも一部を越えて、長手方向に延在する中央ｌ線の方向に支持層５の外部ゾーン１３まで延在している支持層の第１の表面域の端部を画定し、第１の表面域が、外部ゾーン１３によって境界が設けられるよう、及び
ｉｉ）第２の側面Ｃ”が、第２の側面から、吸収性本体の外縁を越えて、長手方向に延在する中央線の方向で第１の表面域の方向の反対の方向に、支持層５の外部ゾーン１３まで延在する支持層の第２の表面域の端部を画定し、第２の表面域が外部ゾーン１３により境界が設けられており、第１及び第２の表面域が接着剤を実質的に含まないよう、支持層５の前表面５’に接触して、支持層５の前表面５’を吸収性本体１の第２の表面３に接着させる。
【００３６】
接着剤を実質的に含まない、支持層５の表面域に関して明細書に記載されているとおり、用語「接着剤を実質的に含まない」とは、２０％未満、場合により１５％未満、場合により５％未満、場合により２．５％未満、又は場合により０％の、記載されている表面域接触があるか、又は任意の接着剤又は接着特性を有する化合物が、その上に配設されていることを意味する。
【００３７】
図９〜１０Ａに示されているとおり、理論によって限定されないが、上で説明したとおり、吸収性本体１の第２の表面３に対して、横方向に延在している中央線ｔの中央方向（例えば、中央）に、又は上記の中央線ｔに実質的に沿って延在している位置決め接着剤の領域としての位置決め接着剤の配置は、取り付けられている支持層５の動き又は伸張による吸収性本体１のいかなる動き又は伸張も最小限にする。
【００３８】
特定の実施形態では、吸収性本体１の弾性率は、支持層５の弾性率以下であるか、又は支持層を長さが同一変化率まで伸張するのに必要な負荷／力に等しいか又はそれより小さな長さの所与の変化率に吸収性本体１を延在するために必要な負荷／力である。「弾性率」（例えば、吸収性本体１及び／又は支持層５）は、本明細書で使用する場合、以下のとおり、ＡＳＴＭ  Ｄ８８２の修正版、薄いプラスチックシートの引張特性の標準試験法（ＡＳＴＭ  Ｉｎｔｅｒｎａｔｉｏｎａｌ、Ｗｅｓｔ  Ｃｏｎｓｈｏｈｏｃｋｅｎ、ＰＡ、２０１６）に準拠した「伸張」測定値の取得に基づいて算出される。
【００３９】
ＡＳＴＭ  Ｄ８８２−９は、元々、２５０ｍｍのグリップ距離、及び０．１ｍｍ／ｍｍ＊分の初期歪み速度を必要とする。しかし、本発明の物質の弾性率を算出する測定値を得る目的では、５０ｍｍのグリップ距離、及び１０ｍｍ／ｍｍ＊分の初期歪み速度が代わりに使用される。修正済み寸法及び速度ａは、薄プラスチック性フィルムの他の引張特性（例えば、引張破断強さ又は破断伸び）を得るために使用されるものと同じである。負荷−伸張曲線が、ＡＳＴＭ  Ｄ８８２に記載されているとおりに一旦、生成されると、弾性率は、この負荷−伸張曲線の初期線形部分への接線を引き、この接線上の任意の点を選択して、引張応力を対応する歪みにより除算することにより決定される。
【００４０】
吸収性本体１の弾性率が支持層５の弾性率以下である、創傷ドレッシングアセンブリ１０の例は、ａ）吸収性本体１が、約５０ｇｓｍ〜約２００ｇｓｍ、場合により約１００ｇｓｍの坪量を有する不織布基材であり、約５０ｎｍ〜約２００００ｎｍ、場合により約１００ｎｍ〜約１００００ｎｍ、場合により約５００ｎｍ〜約３０００ｎｍのフィラメント／繊維直径を有する、ポリウレタンの（例えば、スパンボンドした）フィラメントから形成される、及びｂ）支持層５が、ｉ）２５μｍ〜５０μｍの厚みのポリウレタンフィルム層；又はｉｉ）５０μｍ〜３００μｍの厚みの溶融ブローポリウレタン不織布から選択される場合に見られる。
【００４１】
吸収性本体１に有用なナノフィラメント基材である不織布ポリウレタンの例は、ＳＮＳ  Ｎａｎｏ  Ｆｉｂｒｅ  ｔｅｃｈｎｏｌｏｇｙ、Ｈｕｄｓｏｎ、ＯＨによって供給されている、Ｎａｎｏｓａｎ（登録商標）Ｓｏｒｂ／１００である。Ｎａｎｏｓａｎ（登録商標）Ｓｏｒｂ／１００。Ｎａｎｏｓａｎ（登録商標）Ｓｏｒｂ／１００の弾性率は、０．２ＭＰａ（又は約０．２ＭＰａ）と測定された。有用なこのようなナノ繊維不織布の一層詳細な議論は、米国特許第４０４３３３１号に見出すことができ、この特許は、その全体が参照により本明細書に組み込まれている。
【００４２】
溶融ブローポリウレタン不織布支持層５の弾性率は、２．２ＭＰａ（又は約２．２ＭＰａ）と測定された。支持層５の弾性率以下の弾性率の吸収性本体１を有する創傷アセンブリは、吸収性本体１への接着時に、支持層５の伸張性を制限することを低減するか、又は防止する。
【００４３】
特定の実施形態では、支持層５の弾性率は、約１ＭＰａ〜約５０ＭＰａ、又は場合により約１．５ＭＰａ〜約６ＭＰａの範囲とすることができる。
【００４４】
特定の実施形態では、支持層５は、液体不浸透性の水蒸気透過性ポリマーフィルムを含むことができるが、これは、液体不浸透性の水蒸気透過性ポリマーフィルムと組み合わせて好ましくは使用される、他のさまざまな物質を場合により含むことができる。液体不浸透性の水蒸気透過性ポリマーフィルムは、湿潤環境において構造的一体性を好ましくは保持する、適合性の有機ポリマー物質である。本明細書で使用する場合、「適合性」フィルムは、表面が動いている時でさえも、身体部分の表面と同様に、表面に適合するものである。好適なフィルムは、フィルムから水蒸気が通過するのを可能にする、組成及び厚さを有する。フィルムは、ドレッシングの下の創傷部分から水蒸気が喪失するのを調節する一助となる。フィルムはまた、細菌と、液体の水又は他の液体の両方に対するバリアとしても作用する。
【００４５】
水蒸気透過性ポリマーフィルムは、幅広い範囲の厚さとすることができる。好ましくは、上記のポリマーフィルムは、約１０ミクロン又は１２ミクロンから７５ミクロン又は２５０ミクロンの厚さである。更に、ポリマーフィルムは、所望の特性を有するような要求に応じた１つ又は複数の層を含むことができる。これらの層は、例えば、本明細書に記載されているフィルム及び物品の総合的な特性が満足されるかぎり、好適な接着剤と共に押出成形及び／又は接合され得る。
【００４６】
液体不浸透性の水蒸気透過性ポリマーフィルムの好適な原料の例としては、以下に限定されないが、ＥＳＴＡＮＥという商標名でＢ．Ｆ．Ｇｏｏｄｒｉｃｈ（Ｃｌｅｖｅｌａｎｄ、Ｏｈｉｏ）から市販されているポリウレタン（ＥＳＴＡＮＥ  ５８２３７及びＥＳＴＡＮＥ  ５８２４５を含む）；ＰＥＢＡＸという商標名で、Ａｒｋｅｍａ（Ｋｉｎｇ  ｏｆ  Ｐｒｕｓｓｉａ、Ｐａ．）から市販のポリアミドブロックコポリマー（ＰＥＢＡＸ  ＭＶ１０７４を含む）；ＨＹＴＲＥＬという商標名で、ＤｕＰｏｎｔ（Ｗｉｌｍｉｎｇｔｏｎ、Ｄｅｌ．）から市販されているポリエステルブロックコポリマーを含む合成有機ポリマーが挙げられる。ポリマーフィルムは、１つ又は複数のタイプのモノマー（例えば、コポリマー）、又はポリマーの混合物（例えば、ブレンド）から作製することができる。一例の物質は、熱可塑性ポリウレタンなどの、熱可塑性ポリマー（例えば、熱に晒されると軟化して、冷やされるとその元の状態に戻るもの）である。
【００４７】
本発明のドレッシングアセンブリ１０の支持層５の支持層は、場合により、例えば、不織布、織布、及びニットウェブ、多孔性フィルム（例えば、穿孔又は微孔性構造によりもたらされる）、又は他の公知の裏打ち材を含めた、他の通気性物質とすることができる。このような不織布ウェブの１つは、溶融処理されたポリウレタン（Ｍｏｒｔｏｎ  Ｉｎｔｅｒｎａｔｉｏｎａｌ、Ｓｅａｂｒｏｏｋ、Ｎ．Ｈ．からＭＯＲＴＨＡＮＥ  ＰＳ−４４０という商標名で入手可能なものなど）、又はハイドロエンタングルド不織布ポリエステル若しくはレーヨンポリエステルウェブ（ＤｕＰｏｎｔ（Ｗｉｌｍｉｎｇｔｏｎ、Ｄｅｌ．）からＳＯＮＴＡＲＡ  ８０１０又はＳＯＮＴＡＲＡ  ８４１１という商標名で入手可能なものなど）である。
【００４８】
支持層５の支持層は、他の利点の中で、本発明のドレッシングに構造的一体性及び審美性の改善をもたらすことができる、液体不浸透性の水蒸気透過性ポリマーフィルム、及び水蒸気透過性の不織布、織布若しくはニットウェブ、又は多孔性フィルムの組合せとすることができる。支持層内部（又は支持層を形成する）層は、例えば、連続又は不連続とすることができる、好適な接着剤層（例えば、パターンコーティングされている接着剤層により生成されるものなど）を使用して、好ましくは一緒に接合されるが、熱的接合又は超音波溶接などの、熱機械的接合を含む他の接合手段を使用することができる。
【００４９】
特定の実施形態では、支持層５の前表面は、使用者の皮膚に創傷アセンブリ１０を取り付けるための、皮膚接触接着剤８に更に接触することができるか、又はその上に皮膚接触接着剤８を配設することができる。特定の実施形態では、皮膚接触接着剤８は、外部ゾーン１３内の支持層５の前表面５’に接触しているか、又はその上に配設されている。一般に、さまざまな感圧接着剤のいずれかを、皮膚接触接着剤８として利用することができる。特に、ヒト皮膚と生体適合性の感圧接着剤が、通常、利用される。一部の実施形態では、皮膚接触接着剤８はまた、一般に水溶性であるか、又は一般に水不溶性であるか、又は水性環境に分散可能であるかのいずれかとすることができる。特定の実施形態では、皮膚接触接着剤８は、一般に水性環境に不溶性であるか又は分散可能であるかのいずれかとすることができる。好適な例としては、例えば、ＨＬ−９４１５−Ｘという商標名で販売されている市販の分散性感圧接着剤が挙げられ、Ｈ．Ｂ．Ｆｕｌｌｅｒ  Ｃｏｍｐａｎｙから入手可能である。別の好適な接着剤としては、約１０〜７５重量％のポリアルキルオキサゾリンポリマー、１０〜７５重量％のヒドロキシ化合物又はカルボン酸化合物を含む機能性希釈剤、５〜５０重量％の粘着付与剤が挙げられる。
【００５０】
任意選択的構成要素
創傷接触層
特定の実施形態では、創傷接触層６は、接触吸収性本体１の第１の表面２に接触する。このような創傷接触層６の例としては、ポリマーネット及び多孔性（例えば、穿孔されている）フィルム、又は吸収性本体１に流体が浸透するのを可能にすると同時に、ドレッシングが創傷に付着するのを防止する他の従来的な物質が挙げられる。特定の実施形態では、創傷接触層６は、吸収性本体１に直接接合させることにより（例えば、キャスト又は熱機械的接合）、又は接着剤層の使用により吸収性本体１に接触する。
【００５１】
好適な創傷接触層の一例は、Ｄｅｌｎｅｔ（登録商標）ＡＣ５３０ＷＨＴネットで、Ｄｅｌｎｅｔ  Ｔｅｃｈｎｏｌｏｇｉｅｓ（Ｄｅｌ．）から入手可能な、高密度ポリエチレン（ＨＤＰＥ）ネットである。
【００５２】
一実施形態では、図７〜８Ａに示されているとおり、創傷接触層６は、創傷接触層６が吸収性本体１ほど伸張可能ではないよう、吸収性本体１の弾性率よりも大きな弾性率を有することができる。このような実施形態では、創傷接触層６は、吸収性本体１の第２の表面３（支持層５の前表面５’に接着している）が、支持層５の対応する方向性の伸張時に伸張する（又は、延在するよう伸張性を保持／維持する）よう、吸収性本体１の第１の表面２上に接着される。したがって、吸収性本体１の伸張性は、吸収性本体１の第１の表面２に上記の特性を持たせる創傷接触層６に接着すると、それほど伸張可能ではない創傷接触層６へのその接着のために、吸収性本体１の第１の表面２の動き又は伸張になんらかの制限があるにも関わらず、吸収性本体１の第２の表面３（支持層５の前表面５’に接着している）が、その一方向に動く能力又は伸張する能力（例えば、支持層５及びその前表面５’の接着部において、対応する方向性の動き又は伸張に応答して）を保持（又は維持）するようなものになっている。
【００５３】
特定の実施形態では、吸収性本体１の弾性率は、創傷接触層６の弾性率よりも２５％小さく、場合により５０％小さく、場合により７５％小さく、又は場合により９５％小さい。
【００５４】
剥離ライナー
剥離ライナー７は、吸収性本体１又は支持層５上の、任意の露出されている接着剤を覆うために使用することができる。剥離ライナー７は、単一層、又は層のセグメント化された部分の形態にあってもよい。剥離ライナー７は、クラフト紙、ポリエチレン、ポリプロピレン、ポリエステル、ポリスチレン（耐衝撃性ポリスチレンなど）、又はこれらの物質の任意のコンポジットから作製することができる。一実施形態では、剥離ライナー７は、フルオロ化学品又はシリコーンなどの放出剤によりコーティングされている。例えば、その開示が参照により組み込まれている、米国特許第４，４７２，４８０号は、低い表面エネルギーのパーフルオロ化学品のライナーを記載している。一実施形態では、剥離ライナー７は、シリコーン放出物質によりコーティングされている、紙、ポリオレフィンフィルム又はポリエステルフィルムである。市販のシリコーンによりコーティングされている放出用紙の例は、Ｗａｕｓａｕ  Ｐａｐｅｒ  Ｓｐｅｃｉａｌｔｙ  Ｐｒｏｄｕｃｔｓ（Ｒｈｉｎｅｌａｎｄｅｒ、Ｗｉｓ．）及びＭｏｎｄｉ  Ｐａｃｋａｇｉｎｇ（Ｌａｎｃａｓｔｅｒ、Ｏｈｉｏ）により供給される。好適な剥離ライナーの１つは、Ｗａｕｓａｕ  Ｐａｐｅｒ  Ｓｐｅｃｉａｌｔｙ  Ｐｒｏｄｕｃｔｓから入手可能な、６０＃／２７９平方メートル（／３０００平方フィート）の漂白したクラフトＳＣ  ＲＬＳＥ  Ｄ１１  ４４２−６００１ペーパーライナーである。場合により、剥離ライナー７は、ドレッシングアセンブリ１０の支持層５又は吸収性本体１から剥離ライナーを容易に除去するのを促進するつまみ部を含んでもよい。
【００５５】
本発明の特定の実施形態が示されて、本明細書に記載されているが、これらの実施形態は、本発明の原理の応用に考案され得る、多数の可能な具体的な取り合わせ（arrangement）の単なる例示に過ぎないことが理解される。多数の及びさまざまな他の取り合わせを、本発明の趣旨及び範囲から逸脱することなく、当業者によってこれらの原理にしたがって考案することができる。したがって、本発明の範囲は、本出願に記載されている構造に限定されるべきではなく、特許請求の範囲の文言によって説明されている構造、及びそのような構造の等価物によってのみ限定されるべきである。
【００５６】
発明の実施形態
１．
ａ．長手方向に延在している中央線、横方向に延在している中央線及び外縁を有している伸張可能な吸収性本体であって、吸収性本体は第１の表面及び第２の表面を有し、第２の表面が第１の表面の反対側にある、伸張可能な吸収性本体と、
ｂ．吸収性本体の第２の表面の少なくとも一部に接触している位置決め接着剤と、
ｃ．伸張可能な支持層であって、当該支持層の方向性の伸張が吸収性本体の第２の表面の対応する方向性の伸張を引き起こすよう、位置決め接着剤によって吸収性本体の第２の表面に接着している、伸張可能な支持層と、
ｄ．吸収性本体ほど伸張可能ではない創傷接触層であって、吸収性本体の第２の表面が、支持層の対応する伸張時に延在するよう、吸収性本体の第１の表面上に配設されている、創傷接触層と
を含む、創傷ドレッシングアセンブリ。
２．吸収性本体が、単層物質又は多層物質の形態にある、実施形態１の創傷ドレッシングアセンブリ。
３．吸収性本体が縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、実施形態１又は２の創傷ドレッシングアセンブリ。
４．吸収性本体が、電界紡糸により生成したウェブ；不織布；織布；フィルム；バッティング；スパンボンド；スパンレース；ハイドロエンタングルド；梳毛；ニードルパンチ；湿式又は他の任意の好適な物質を含む、実施形態１から３のいずれか１つの創傷ドレッシングアセンブリ。
５．吸収性本体が発泡体物質を含む、実施形態１から４のいずれか１つの創傷ドレッシングアセンブリ。
６．発泡体物質が、１つ又は複数のタイプのモノマーを含むポリマー、又はポリマーのブレンドを含む、実施形態１から５のいずれか１つの創傷ドレッシングアセンブリ。
７．発泡体物質が連続気泡発泡体である、実施形態１から６のいずれか１つの創傷ドレッシングアセンブリ。
８．発泡体物質が、ポリウレタン、カルボキシル化ブタジエン−スチレンゴム、ポリエステル、ポリアクリレート又はそれらの混合物から選択される連続気泡発泡体合成有機ポリマーである、実施形態１から７のいずれか１つの創傷ドレッシングアセンブリ。
９．吸収性本体がヒドロコロイドを含む、実施形態１から８のいずれか１つの創傷ドレッシングアセンブリ。
１０．ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、実施形態１から９のいずれか１つの創傷ドレッシングアセンブリ。
１１．位置接着剤が吸収性本体の第２の表面に接触して、位置決め接着剤の連続若しくは不連続な層又は表面域を形成する、実施形態１から１０のいずれか１つの創傷ドレッシングアセンブリ。
１２．支持層が外縁を有し、支持層の外縁が、吸収性本体の外縁の少なくとも一部を越えて延在するようになっている、実施形態１から１１のいずれか１つの創傷ドレッシングアセンブリ。
１３．
ｄ．長手方向に延在している中央線、横方向に延在している中央線、及び外縁を有している伸張可能な吸収性本体であって、吸収性本体は第１の表面、第２の表面及びある弾性率を有し、第２の表面は、第１の表面の反対側にある、伸張可能な吸収性本体と、
ｅ．吸収性本体の第２の表面の少なくとも一部に接触している位置決め接着剤と、
ｆ．ある弾性率を有する支持層であって、位置決め接着剤によって吸収性本体の第２の表面に接着されている、支持層と
を含む、創傷ドレッシングアセンブリであって、
吸収性本体の弾性率が、支持層の弾性率以下である
創傷ドレッシングアセンブリ。
１４．支持層の弾性率が約１ＭＰａ〜約５０ＭＰａである、実施形態１３の創傷ドレッシングアセンブリ。
１５．支持層の弾性率が約１．５ＭＰａ〜約６ＭＰａである、実施形態１３又は１４の創傷ドレッシングアセンブリ。
１６．吸収性本体が、約５０ｇｓｍ〜約２００ｇｓｍの坪量を有する不織基材であり、約５００ｎｍ〜約３０００ｎｍのフィラメント直径を有するポリウレタンのフィラメントから形成されている、実施形態１３から１５のいずれか１つの創傷ドレッシングアセンブリ。
１７．支持層が、ｉ）２５μｍ〜５０μｍの厚みのポリウレタンフィルム層；又はｉｉ）５０μｍ〜３００μｍの厚みの溶融ブローポリウレタン不織布から選択される、実施形態１３から１６のいずれか１つの創傷ドレッシングアセンブリ。
１８．吸収性本体が、単層物質又は多層物質の形態にある、実施形態１３から１７のいずれか１つの創傷ドレッシングアセンブリ。
１９．吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、実施形態１３から１８のいずれか１つの創傷ドレッシングアセンブリ。
２０．吸収性本体が、電界紡糸により生成したウェブ；不織布；織布；フィルム；バッティング；スパンボンド；スパンレース；ハイドロエンタングルド；梳毛；ニードルパンチ；湿式又は他の任意の好適な物質を含む、実施形態１３から１９のいずれか１つの創傷ドレッシングアセンブリ。
２１．吸収性本体が発泡体物質を含む、実施形態１３から２０のいずれか１つの創傷ドレッシングアセンブリ。
２２．発泡体物質が、１つ又は複数のタイプのモノマーを含むポリマー、又はポリマーのブレンドを含む、実施形態１３から２１のいずれか１つの創傷ドレッシングアセンブリ。
２３．発泡体物質が連続気泡発泡体である、実施形態１３から２２のいずれか１つの創傷ドレッシングアセンブリ。
２４．発泡体物質が、ポリウレタン、カルボキシル化ブタジエン−スチレンゴム、ポリエステル、ポリアクリレート又はそれらの混合物から選択される連続気泡発泡体合成有機ポリマーである、実施形態１３から２３のいずれか１つの創傷ドレッシングアセンブリ。
２５．吸収性本体がヒドロコロイドを含む、実施形態１３から２４のいずれか１つ又は組合せの創傷ドレッシングアセンブリ。
２６．ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、実施形態１３から２５のいずれか１つの創傷ドレッシングアセンブリ。
２７．位置接着剤が吸収性本体の第２の表面に接触して、位置決め接着剤の連続若しくは不連続な層又は表面域を形成する、実施形態１３から２６のいずれか１つの創傷ドレッシングアセンブリ。
２８．支持層が外縁を有し、支持層の外縁が、吸収性本体の外縁の少なくとも一部を越えて延在するようになっている、実施形態１３から２７のいずれか１つの創傷ドレッシングアセンブリ。
２９．
ｂ．長手方向に延在している中央線、横方向に延在している中央線及び外縁を有している吸収性本体であって、吸収性本体は第１の表面及び第２の表面を有し、第２の表面は、第１の表面の反対側にあり、第２の表面は、
ｄ．吸収性本体の第２の表面の中央に、位置決め接着剤の領域を形成するよう、吸収性本体の第２の表面に接触する接触剤であって、位置決め接着剤の領域が外縁を有する、接着剤
を有する、吸収性本体と、
ｅ．位置決め接着剤の領域により、吸収性本体の第２の表面に接着している支持層であって、外部ゾーンによって少なくとも一部が取り囲まれた内側ゾーンを有する、支持層と、
を含む創傷ドレッシングアセンブリであって、
位置決め接着剤の領域の外縁が、支持層の表面域の内側境界を画定し、支持層のこのような表面域が、位置決め接着剤の領域の外縁から、位置決め接着剤の領域の外縁から離れる方向に、吸収性本体１の外縁の少なくとも一部を越えて、支持層の外部ゾーンにまで延在しており、このような表面域は、接着剤を含まないか又は実質的に含まない、
創傷ドレッシングアセンブリ。
３０．位置決め接着剤の領域が連続的である、実施形態２９の創傷ドレッシングアセンブリ。
３１．位置決め接着剤の領域が不連続的である、実施形態２９又は３０の創傷ドレッシングアセンブリ。
３２．吸収性本体が、単層物質又は多層物質の形態にある、実施形態２９から３１のいずれか１つの創傷ドレッシングアセンブリ。
３３．吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、実施形態２９から３２のいずれか１つの創傷ドレッシングアセンブリ。
３４．吸収性本体が、電界紡糸により生成したウェブ；不織布；織布；フィルム；バッティング；スパンボンド；スパンレース；ハイドロエンタングルド；梳毛；ニードルパンチ；湿式又は他の任意の好適な物質を含む、実施形態２９から３３のいずれか１つの創傷ドレッシングアセンブリ。
３５．吸収性本体が発泡体物質を含む、実施形態２９から３４のいずれか１つの創傷ドレッシングアセンブリ。
３６．発泡体物質が、１つ又は複数のタイプのモノマーを含むポリマー、又はポリマーのブレンドを含む、実施形態２９から３５のいずれか１つの創傷ドレッシングアセンブリ。
３７．発泡体物質が連続気泡発泡体である、実施形態２９から３６のいずれか１つの創傷ドレッシングアセンブリ。
３８．発泡体物質が、ポリウレタン、カルボキシル化ブタジエン−スチレンゴム、ポリエステル、ポリアクリレート又はそれらの混合物から選択される連続気泡発泡体合成有機ポリマーである、実施形態２９から３７のいずれか１つの創傷ドレッシングアセンブリ。
３９．吸収性本体がヒドロコロイドを含む、実施形態２９から３８のいずれか１つの創傷ドレッシングアセンブリ。
４０．ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、実施形態２９から３９のいずれか１つの創傷ドレッシングアセンブリ。
４１．位置接着剤が吸収性本体の第２の表面に接触して、位置決め接着剤の連続若しくは不連続な層又は表面域を形成する、実施形態２９から４０のいずれか１つの創傷ドレッシングアセンブリ。
４２．支持層が外縁を有し、支持層の外縁が、吸収性本体の外縁の少なくとも一部を越えて延在するようになっている、実施形態２９から４１のいずれか１つの創傷ドレッシングアセンブリ。
４３．
ｂ．長手方向に延在している中央線、横方向に延在している中央線及び外縁を有している吸収性本体であって、吸収性本体は第１の表面及び第２の表面を有し、第２の表面は、第１の表面の反対側にあり、第２の表面は、
ｄ．横方向に延在する中央線に実質的に沿って延在する位置決め接着剤の領域を形成するよう、吸収性本体の第２の表面に接触している接着剤
を含む、吸収性本体と、
ｅ．位置決め接着剤の領域により、吸収性本体の第２の表面に接着している支持層であって、外部ゾーンによって少なくとも一部が取り囲まれた内側ゾーンを有する、支持層と、
を含む、創傷ドレッシングアセンブリであって、
位置決め接着剤の領域が、第１の側面、及び第１の側面の反対側の第２の側面を有し、その結果、位置決め接着剤の領域が支持層に接触すると、
ｉ．第１の側面は、第１の側面から、吸収性本体の外縁を越えて、長手方向に延在する中央線の方向に，支持層の外部ゾーンまで延在する支持層の第１の表面域の端部を画定し、
ｉｉ．第２の側面は、第２の側面から、吸収性本体の外縁を越えて、長手方向に延在する中央線の方向で第１の表面域の方向の反対の方向に、支持層の外部ゾーンまで延在する支持層の第２の表面域の端部を画定し、第１及び第２の表面域が接着剤を実質的に含まない、
創傷ドレッシングアセンブリ。
４４．位置決め接着剤の領域が連続的である、実施形態４３の創傷ドレッシングアセンブリ。
４５．位置決め接着剤の領域が不連続的である、実施形態４３又は４４の創傷ドレッシングアセンブリ。
４６．吸収性本体が、単層物質又は多層物質の形態にある、実施形態４３から４５のいずれか１つの創傷ドレッシングアセンブリ。
４７．吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、実施形態４３から４６のいずれか１つの創傷ドレッシングアセンブリ。
４８．吸収性本体が、電界紡糸により生成したウェブ；不織布；織布；フィルム；バッティング；スパンボンド；スパンレース；ハイドロエンタングルド；梳毛；ニードルパンチ；湿式又は他の任意の好適な物質を含む、実施形態４３から４７のいずれか１つ又の創傷ドレッシングアセンブリ。
４９．吸収性本体が発泡体物質を含む、実施形態４３から４８のいずれか１つの創傷ドレッシングアセンブリ。
５０．発泡体物質が、１つ又は複数のタイプのモノマーを含むポリマー、又はポリマーのブレンドを含む、実施形態４３から４９のいずれか１つの創傷ドレッシングアセンブリ。
５１．発泡体物質が連続気泡発泡体である、実施形態４３から５０のいずれか１つの創傷ドレッシングアセンブリ。
５２．発泡体物質が、ポリウレタン、カルボキシル化ブタジエン−スチレンゴム、ポリエステル、ポリアクリレート又はそれらの混合物から選択される連続気泡発泡体合成有機ポリマーである、実施形態４３から５１のいずれか１つの創傷ドレッシングアセンブリ。
５３．吸収性本体がヒドロコロイドを含む、実施形態４３から５２のいずれか１つの創傷ドレッシングアセンブリ。
５４．ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、実施形態４３から５３のいずれか１つの創傷ドレッシングアセンブリ。
５５．位置接着剤が吸収性本体の第２の表面に接触して、位置決め接着剤の連続若しくは不連続な層又は表面域を形成する、実施形態４３から５４のいずれか１つの創傷ドレッシングアセンブリ。
５６．支持層が外縁を有し、支持層の外縁が、吸収性本体の外縁の少なくとも一部を越えて延在するようになっている、実施形態４３から５５のいずれか１つの創傷ドレッシングアセンブリ。
【００５７】
〔実施の態様〕
（１）  ａ．長手方向に延在している中央線、横方向に延在している中央線及び外縁を有している伸張可能な吸収性本体であって、該吸収性本体は第１の表面及び第２の表面を有し、前記第２の表面は前記第１の表面の反対側にある、伸張可能な吸収性本体と、
ｂ．前記吸収性本体の前記第２の表面の少なくとも一部に接触している位置決め接着剤と、
ｃ．伸張可能な支持層であって、前記支持層の方向性の伸張が前記吸収性本体の前記第２の表面の対応する方向性の伸張を引き起こすよう、前記位置決め接着剤によって前記吸収性本体の前記第２の表面に接着している、伸張可能な支持層と、
ｄ．前記吸収性本体ほど伸張可能ではない創傷接触層であって、前記吸収性本体の前記第２の表面が、前記支持層の対応する伸張時に延在するよう、前記吸収性本体の前記第１の表面上に配設されている、創傷接触層と
を含む、創傷ドレッシングアセンブリ。
（２）  前記吸収性本体が、単層物質又は多層物質の形態にある、実施態様１に記載の創傷ドレッシングアセンブリ。
（３）  前記吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、実施態様１又は２に記載の創傷ドレッシングアセンブリ。
（４）  前記吸収性本体が、電界紡糸により生成したウェブ；不織布；織布；フィルム；バッティング；スパンボンド；スパンレース；ハイドロエンタングルド；梳毛；ニードルパンチ；湿式又は他の任意の好適な物質を含む、実施態様１から３のいずれかに記載の創傷ドレッシングアセンブリ。
（５）  前記吸収性本体が発泡体物質を含む、実施態様１から４のいずれかに記載の創傷ドレッシングアセンブリ。
【００５８】
（６）  前記発泡体物質が、１つ又は複数のタイプのモノマーを含むポリマー、又はポリマーのブレンドを含む、実施態様１から５のいずれかに記載の創傷ドレッシングアセンブリ。
（７）  前記発泡体物質が連続気泡発泡体である、実施態様１から６のいずれかに記載の創傷ドレッシングアセンブリ。
（８）  前記発泡体物質が、ポリウレタン、カルボキシル化ブタジエン−スチレンゴム、ポリエステル、ポリアクリレート又はそれらの混合物から選択される連続気泡発泡体合成有機ポリマーである、実施態様１から７のいずれかに記載の創傷ドレッシングアセンブリ。
（９）  前記吸収性本体がヒドロコロイドを含む、実施態様１から８のいずれかに記載の創傷ドレッシングアセンブリ。
（１０）  前記ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、実施態様１から９のいずれかに記載の創傷ドレッシングアセンブリ。
【００５９】
（１１）  前記位置接着剤が吸収性本体の前記第２の表面に接触して、位置決め接着剤の連続若しくは不連続な層又は表面域を形成する、実施態様１から１０のいずれかに記載の創傷ドレッシングアセンブリ。
（１２）  前記支持層が外縁を有し、前記支持層の前記外縁が、前記吸収性本体の前記外縁の少なくとも一部を越えて延在するようになっている、実施態様１から１１のいずれかに記載の創傷ドレッシングアセンブリ。
（１３）  ａ．長手方向に延在している中央線、横方向に延在している中央線及び外縁を有している伸張可能な吸収性本体であって、該吸収性本体は第１の表面、第２の表面及びある弾性率を有し、前記第２の表面は、前記第１の表面の反対側にある、伸張可能な吸収性本体と、
ｂ．前記吸収性本体の前記第２の表面の少なくとも一部に接触している位置決め接着剤と、
ｃ．ある弾性率を有する支持層であって、前記位置決め接着剤によって前記吸収性本体の前記第２の表面に接着されている、支持層と
を含む、創傷ドレッシングアセンブリであって、
前記吸収性本体の前記弾性率が、前記支持層の前記弾性率以下である、
創傷ドレッシングアセンブリ。
（１４）  前記支持層の前記弾性率が約１ＭＰａ〜約５０ＭＰａである、実施態様１３に記載の創傷ドレッシングアセンブリ。
（１５）  前記支持層の前記弾性率が約１．５ＭＰａ〜約６ＭＰａである、実施態様１３又は１４に記載の創傷ドレッシングアセンブリ。
【００６０】
（１６）  前記吸収性本体が、約５０ｇｓｍ〜約２００ｇｓｍの坪量を有する不織基材であり、約５００ｎｍ〜約３０００ｎｍのフィラメント直径を有するポリウレタンのフィラメントから形成されている、実施態様１３から１５のいずれかに記載の創傷ドレッシングアセンブリ。
（１７）  前記支持層が、ｉ）２５μｍ〜５０μｍの厚みのポリウレタンフィルム層；又はｉｉ）５０μｍ〜３００μｍの厚みの溶融ブローポリウレタン不織布から選択される、実施態様１３から１６のいずれかに記載の創傷ドレッシングアセンブリ。
（１８）  前記吸収性本体が、単層物質又は多層物質の形態にある、実施態様１３から１７のいずれかに記載の創傷ドレッシングアセンブリ。
（１９）  前記吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、実施態様１３から１８のいずれかに記載の創傷ドレッシングアセンブリ。
（２０）  前記吸収性本体が、電界紡糸により生成したウェブ；不織布；織布；フィルム；バッティング；スパンボンド；スパンレース；ハイドロエンタングルド；梳毛；ニードルパンチ；湿式又は他の任意の好適な物質を含む、実施態様１３から１９のいずれかに記載の創傷ドレッシングアセンブリ。
【００６１】
（２１）  前記吸収性本体が発泡体物質を含む、実施態様１３から２０のいずれかに記載の創傷ドレッシングアセンブリ。
（２２）  前記発泡体物質が、１つ又は複数のタイプのモノマーを含むポリマー、又はポリマーのブレンドを含む、実施態様１３から２１のいずれかに記載の創傷ドレッシングアセンブリ。
（２３）  前記発泡体物質が連続気泡発泡体である、実施態様１３から２２のいずれかに記載の創傷ドレッシングアセンブリ。
（２４）  前記発泡体物質が、ポリウレタン、カルボキシル化ブタジエン−スチレンゴム、ポリエステル、ポリアクリレート又はそれらの混合物から選択される連続気泡発泡体合成有機ポリマーである、実施態様１３から２３のいずれかに記載の創傷ドレッシングアセンブリ。
（２５）  前記吸収性本体がヒドロコロイドを含む、実施態様１３から２４のいずれかに記載の創傷ドレッシングアセンブリ。
【００６２】
（２６）  前記ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、実施態様１３から２５のいずれかに記載の創傷ドレッシングアセンブリ。
（２７）  前記位置接着剤が吸収性本体の前記第２の表面に接触して、位置決め接着剤の連続若しくは不連続な層又は表面域を形成する、実施態様１３から２６のいずれかに記載の創傷ドレッシングアセンブリ。
（２８）  前記支持層が外縁を有し、前記支持層の前記外縁が、前記吸収性本体の前記外縁の少なくとも一部を越えて延在するようになっている、実施態様１３から２７のいずれかに記載の創傷ドレッシングアセンブリ。
（２９）  ａ．長手方向に延在している中央線、横方向に延在している中央線及び外縁を有している吸収性本体であって、該吸収性本体は第１の表面及び第２の表面を有し、前記第２の表面は前記第１の表面の反対側にあり、前記第２の表面は、
ｂ．前記吸収性本体の前記第２の表面の前記中央に、位置決め接着剤の領域を形成するよう、前記吸収性本体の前記第２の表面に接触する接触剤であって、位置決め接着剤の前記領域が外縁を有する、接着剤
を有する、吸収性本体と、
ｃ．位置決め接着剤の前記領域により、前記吸収性本体の前記第２の表面に接着している支持層であって、外部ゾーンによって少なくとも一部が取り囲まれた内側ゾーンを有する、支持層と、
を含む創傷ドレッシングアセンブリであって、
位置決め接着剤の前記領域の前記外縁が、前記支持層の表面域の内側境界を画定し、前記支持層のこのような表面域が、位置決め接着剤の前記領域の前記外縁から、位置決め接着剤の前記領域の前記外縁から離れる方向に、前記吸収性本体１の前記外縁の少なくとも一部を越えて、前記支持層の前記外部ゾーンにまで延在しており、このような表面域は、接着剤を含まないか又は実質的に含まない、
創傷ドレッシングアセンブリ。
（３０）  位置決め接着剤の前記領域が連続的である、実施態様２９に記載の創傷ドレッシングアセンブリ。
【００６３】
（３１）  位置決め接着剤の前記領域が不連続的である、実施態様２９又は３０に記載の創傷ドレッシングアセンブリ。
（３２）  前記吸収性本体が、単層物質又は多層物質の形態にある、実施態様２９から３１のいずれかに記載の創傷ドレッシングアセンブリ。
（３３）  前記吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、実施態様２９から３２のいずれかに記載の創傷ドレッシングアセンブリ。
（３４）  前記吸収性本体が、電界紡糸により生成されたウェブ；不織布；織布；フィルム；バッティング；スパンボンド；スパンレース；ハイドロエンタングルド；梳毛；ニードルパンチ；湿式又は他の任意の好適な物質を含む、実施態様２９から３３のいずれかに記載の創傷ドレッシングアセンブリ。
（３５）  前記吸収性本体が発泡体物質を含む、実施態様２９から３４のいずれかに記載の創傷ドレッシングアセンブリ。
【００６４】
（３６）  前記発泡体物質が、１つ又は複数のタイプのモノマーを含むポリマー、又はポリマーのブレンドを含む、実施態様２９から３５のいずれかに記載の創傷ドレッシングアセンブリ。
（３７）  前記発泡体物質が連続気泡発泡体である、実施態様２９から３６のいずれかに記載の創傷ドレッシングアセンブリ。
（３８）  前記発泡体物質が、ポリウレタン、カルボキシル化ブタジエン−スチレンゴム、ポリエステル、ポリアクリレート又はそれらの混合物から選択される連続気泡発泡体合成有機ポリマーである、実施態様２９から３７のいずれかに記載の創傷ドレッシングアセンブリ。
（３９）  前記吸収性本体がヒドロコロイドを含む、実施態様２９から３８のいずれかに記載の創傷ドレッシングアセンブリ。
（４０）  前記ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、実施態様２９から３９のいずれかに記載の創傷ドレッシングアセンブリ。
【００６５】
（４１）  前記位置接着剤が吸収性本体の前記第２の表面に接触して、位置決め接着剤の連続若しくは不連続な層又は表面域を形成する、実施態様２９から４０のいずれかに記載の創傷ドレッシングアセンブリ。
（４２）  前記支持層が外縁を有し、前記支持層の前記外縁が、前記吸収性本体の前記外縁の少なくとも一部を越えて延在するようになっている、実施態様２９から４１のいずれかに記載の創傷ドレッシングアセンブリ。
（４３）  ａ．長手方向に延在している中央線、横方向に延在している中央線及び外縁を有している吸収性本体であって、該吸収性本体は第１の表面及び第２の表面を有し、前記第２の表面は前記第１の表面の反対側にあり、前記第２の表面は、
ｂ．前記横方向に延在する中央線に実質的に沿って延在する位置決め接着剤の領域を形成するよう、前記吸収性本体の前記第２の表面に接触している接着剤
を含む、吸収性本体と、
ｃ．位置決め接着剤の前記領域により、前記吸収性本体の前記第２の表面に接着している支持層であって、外部ゾーンによって少なくとも一部が取り囲まれた内側ゾーンを有する、支持層と、
を含む、創傷ドレッシングアセンブリであって、
位置決め接着剤の前記領域が、第１の側面、及び前記第１の側面の反対側の第２の側面を有し、その結果、位置決め接着剤の前記領域が前記支持層に接触すると、
ｉ．前記第１の側面は、前記第１の側面から、前記吸収性本体の前記外縁を越えて、前記長手方向に延在する中央線の方向に、前記支持層の前記外部ゾーンまで延在する前記支持層の第１の表面域の端部を画定し、
ｉｉ．前記第２の側面は、前記第２の側面から、前記吸収性本体の前記外縁を越えて、前記長手方向に延在する中央線の方向で前記第１の表面域の方向の反対の方向に、前記支持層の前記外部ゾーンまで延在する前記支持層の第２の表面域の端部を画定し、前記第１及び第２の表面域が接着剤を実質的に含まない、
創傷ドレッシングアセンブリ。
（４４）  前記位置決め接着剤の領域が連続的である、実施態様４３に記載の創傷ドレッシングアセンブリ。
（４５）  位置決め接着剤の前記領域が不連続的である、実施態様４３又は４４に記載の創傷ドレッシングアセンブリ。
【００６６】
（４６）  前記吸収性本体が、単層物質又は多層物質の形態にある、実施態様４３から４５のいずれかに記載の創傷ドレッシングアセンブリ。
（４７）  前記吸収性本体が、縮みセルロース詰め物；溶融ブローポリマー；化学的に補強された、修飾された若しくは架橋されたセルロース繊維；組織；吸収性発泡体；吸収性スポンジ；超吸収性ポリマー；吸収性ゲル形成性物質；又はこのような物質の組合せを含む、実施態様４３から４６のいずれかに記載の創傷ドレッシングアセンブリ。
（４８）  前記吸収性本体が、電界紡糸により生成されたウェブ；不織布；織布；フィルム；バッティング；スパンボンド；スパンレース；ハイドロエンタングルド；梳毛；ニードルパンチ；湿式又は他の任意の好適な物質を含む、実施態様４３から４７のいずれかに記載の創傷ドレッシングアセンブリ。
（４９）  前記吸収性本体が発泡体物質を含む、実施態様４３から４８のいずれかに記載の創傷ドレッシングアセンブリ。
（５０）  前記発泡体物質が、１つ又は複数のタイプのモノマーを含むポリマー、又はポリマーのブレンドを含む、実施態様４３から４９のいずれかに記載の創傷ドレッシングアセンブリ。
【００６７】
（５１）  前記発泡体物質が連続気泡発泡体である、実施態様４３から５０のいずれかに記載の創傷ドレッシングアセンブリ。
（５２）  前記発泡体物質が、ポリウレタン、カルボキシル化ブタジエン−スチレンゴム、ポリエステル、ポリアクリレート又はそれらの混合物から選択される連続気泡発泡体合成有機ポリマーである、実施態様４３から５１のいずれかに記載の創傷ドレッシングアセンブリ。
（５３）  前記吸収性本体がヒドロコロイドを含む、実施態様４３から５２のいずれかに記載の創傷ドレッシングアセンブリ。
（５４）  前記ヒドロコロイドが、カルボキシメチルセルロースナトリウム、ペクチン、キサンタンガム、多糖類、アルギン酸ナトリウム若しくはカルシウム、キトサン、海草抽出物（カラゲナン）、ポリアスパラギン酸、ポリグルタミン酸、ヒアルロン酸、又はそれらの塩及び誘導体及びそれらの混合物から選択される、実施態様４３から５３のいずれかに記載の創傷ドレッシングアセンブリ。
（５５）  前記位置接着剤が吸収性本体の前記第２の表面に接触して、位置決め接着剤の連続若しくは不連続な層又は表面域を形成する、実施態様４３から５４のいずれかに記載の創傷ドレッシングアセンブリ。
【００６８】
（５６）  前記支持層が外縁を有し、前記支持層の前記外縁が、前記吸収性本体の前記外縁の少なくとも一部を越えて延在するようになっている、実施態様４３から５５のいずれかに記載の創傷ドレッシングアセンブリ。
【図１】
2019063519.tif 000003
【図２】
2019063519.tif 000004
【図３】
2019063519.tif 000005
【図４】
2019063519.tif 000006
【図５】
2019063519.tif 000007
【図６】
2019063519.tif 000008
【図７】
2019063519.tif 000009
【図８】
2019063519.tif 000010
【図８Ａ】
2019063519.tif 000011
【図９】
2019063519.tif 000012
【図１０】
2019063519.tif 000013
【図１０Ａ】
2019063519.tif 000014
【図１１】
2019063519.tif 000015
【外国語明細書】
2019063519000001.pdf